(57)【要約】【課題】作業者がインシデント情報を他人事と認識することを防ぐ【解決手段】作業前情報入力部１０２は、乗務員から行路を識別する行路番号の入力を受け付ける。また、計測部１０３は、作業前情報入力部１０２への入力時間を計測し、体調推定部１０４は、計測部１０３が計測した入力時間に基づいて作業者の体調を推定して当該体調を示す体調情報を生成する。次に、インシデント情報読出部１０６は、データベース部１０１から、作業前情報入力部１０２が入力を受け付けた行路番号に関連付けられたインシデント情報のうち、体調推定部１０４が生成した体調情報に関連付けられたインシデント情報を読み出す。そして、表示部１０７は、インシデント情報読出部１０６が読み出したインシデント情報を表示する。【選択図】図１
2011197759.tif 000002
【特許請求の範囲】
【請求項１】
作業者から作業を識別する作業識別情報の入力を受け付ける作業前情報入力部と、
前記作業前情報入力部への入力時間を計測する計測部と、
前記計測部が計測した入力時間に基づいて作業者の体調を推定し、当該体調を示す体調情報を生成する体調推定部と、
前記作業識別情報と当該作業において発生したインシデントを示すインシデント情報と当該インシデント情報を表示すべき作業者の体調を示す体調情報とを関連付けて記憶するインシデント情報記憶部から、前記作業前情報入力部が入力を受け付けた作業識別情報に関連付けられたインシデント情報のうち前記体調推定部が生成した体調情報に関連付けられたインシデント情報を読み出すインシデント情報読出部と、
前記インシデント情報読出部が読み出したインシデント情報を表示する表示部と
を備えることを特徴とするインシデント情報表示装置。
【請求項２】
作業者から前記作業前情報入力部が入力を受け付けた作業識別情報が示す作業において発生したインシデントを示すインシデント情報の入力を受け付ける作業後情報入力部と、
前記作業前情報入力部が入力を受け付けた作業識別情報と前記作業後情報入力部が入力を受け付けたインシデント情報と前記体調推定部が生成した体調情報とを関連付けて前記インシデント情報記憶部に登録する登録部と
を備えることを特徴とする請求項１に記載のインシデント情報表示装置。
【請求項３】
前記作業前情報入力部は、作業者を特定する作業者識別情報の入力を受け付け、
前記登録部は、前記作業識別情報、インシデント情報及び体調情報に加えて前記作業前情報入力部が入力を受け付けた作業者識別情報を前記インシデント情報記憶部に登録し、
前記インシデント情報読出部は、前記作業前情報入力部が入力を受け付けた作業識別情報に関連付けられたインシデント情報のうち、さらに前記作業前情報入力部が入力を受け付けた作業者識別情報に関連付けられたインシデント情報を読み出す
ことを特徴とする請求項２に記載のインシデント情報表示装置。
【請求項４】
前記作業者識別情報と当該作業者識別情報が示す作業者の属性情報を関連付けて記憶する属性情報記憶部から、前記作業前情報入力部が入力を受け付けた作業者識別情報に関連付けられた属性情報と同じ属性情報を有する作業者識別情報を読み出す同属性読出部を備え、
前記インシデント情報読出部は、前記作業前情報入力部が入力を受け付けた作業識別情報に関連付けられたインシデント情報のうち、さらに前記同属性読出部が読み出した作業者識別情報に関連付けられたインシデント情報を読み出す
ことを特徴とする請求項３に記載のインシデント情報表示装置。
【請求項５】
前記表示部は、前記インシデント情報読出部が読み出したインシデント情報のうち、前記作業前情報入力部が入力を受け付けた作業者識別情報に関連付けられたインシデント情報と、他の作業者識別情報に関連付けられたインシデント情報とを異ならせて表示する
ことを特徴とする請求項３または請求項４に記載のインシデント情報表示装置。
【請求項６】
前記インシデント情報記憶部は、前記作業識別情報及びインシデント情報に関連付けて、当該作業識別情報が示す作業の作業手順を示す手順図、及び前記インシデント情報が示すインシデントが発生した時刻または場所を示す表示位置情報をさらに記憶し、
前記作業後情報入力部は、前記インシデント情報に加え、当該インシデント情報の表示位置情報の入力を受け付け、
前記登録部は、前記作業識別情報、インシデント情報及び体調情報に加えて前記作業後情報入力部が入力を受け付けた表示位置情報を前記インシデント情報記憶部に登録し、
前記インシデント情報読出部は、前記インシデント情報に加え、前記手順図及び前記表示位置情報を読み出し、
前記表示部は、前記インシデント情報読出部が読み出したインシデント情報を、前記表示位置情報に対応する前記手順図の位置に表示する
ことを特徴とする請求項２から請求項５の何れか１項に記載のインシデント情報表示装置。
【請求項７】
インシデント情報表示装置を用いたインシデント情報表示方法であって、
作業前情報入力部は、作業者から作業を識別する作業識別情報の入力を受け付け、
計測部は、前記作業前情報入力部への入力時間を計測し、
体調推定部は、前記計測部が計測した入力時間に基づいて作業者の体調を推定して当該体調を示す体調情報を生成し、
インシデント情報読出部は、前記作業識別情報と当該作業において発生したインシデントを示すインシデント情報と当該インシデント情報を表示すべき作業者の体調を示す体調情報とを関連付けて記憶するインシデント情報記憶部から、前記作業前情報入力部が入力を受け付けた作業識別情報に関連付けられたインシデント情報のうち前記体調推定部が生成した体調情報に関連付けられたインシデント情報を読み出し、
表示部は、前記インシデント情報読出部が読み出したインシデント情報を表示する
ことを特徴とするインシデント情報表示方法。
【請求項８】
インシデント情報表示装置を、
作業者から作業を識別する作業識別情報の入力を受け付ける作業前情報入力部、
前記作業前情報入力部への入力時間を計測する計測部、
前記計測部が計測した入力時間に基づいて作業者の体調を推定し、当該体調を示す体調情報を生成する体調推定部、
前記作業識別情報と当該作業において発生したインシデントを示すインシデント情報と当該インシデント情報を表示すべき作業者の体調を示す体調情報とを関連付けて記憶するインシデント情報記憶部から、前記作業前情報入力部が入力を受け付けた作業識別情報に関連付けられたインシデント情報のうち前記体調推定部が生成した体調情報に関連付けられたインシデント情報を読み出すインシデント情報読出部、
前記インシデント情報読出部が読み出したインシデント情報を表示する表示部
として機能させるためのプログラム。
【発明の詳細な説明】
【技術分野】
【０００１】
本発明は、様々な産業分野におけるインシデント情報の効率的提示を行うインシデント情報表示装置、インシデント情報表示方法、及びプログラムに関する。
【背景技術】
【０００２】
従来、様々な産業分野において、事故を未然に防ぐため、ヒヤリ・ハット情報、事故情報、及び気づきの情報（以下、インシデント情報と呼ぶ）を収集し、当該インシデント情報を掲出、あるいは点呼時に当該インシデント情報を作業者に周知することが行われている。
なお、特許文献１に、医療分野においてインシデント情報を提示する技術が開示されている。
【先行技術文献】
【特許文献】
【０００３】
【特許文献１】特開２００５−３２７０６３号公報
【発明の概要】
【発明が解決しようとする課題】
【０００４】
しかしながら、単にインシデント情報を掲出、周知するだけでは、作業者がインシデント情報を他人事として捉えてしまいがちとなり、事故防止に十分に活用できていないという問題があった。また、収集したデータの整理には時間を要し、新たに収集された情報をすぐに活用できないという問題があった。
【課題を解決するための手段】
【０００５】
本発明は上記の課題を解決するためになされたものであり、作業者から作業を識別する作業識別情報の入力を受け付ける作業前情報入力部と、前記作業前情報入力部への入力時間を計測する計測部と、前記計測部が計測した入力時間に基づいて作業者の体調を推定し、当該体調を示す体調情報を生成する体調推定部と、前記作業識別情報と当該作業において発生したインシデントを示すインシデント情報と当該インシデント情報を表示すべき作業者の体調を示す体調情報とを関連付けて記憶するインシデント情報記憶部から、前記作業前情報入力部が入力を受け付けた作業識別情報に関連付けられたインシデント情報のうち前記体調推定部が生成した体調情報に関連付けられたインシデント情報を読み出すインシデント情報読出部と、前記インシデント情報読出部が読み出したインシデント情報を表示する表示部とを備えることを特徴とする。
【０００６】
また、本発明は、作業者から前記作業前情報入力部が入力を受け付けた作業識別情報が示す作業において発生したインシデントを示すインシデント情報の入力を受け付ける作業後情報入力部と、前記作業前情報入力部が入力を受け付けた作業識別情報と前記作業後情報入力部が入力を受け付けたインシデント情報と前記体調推定部が生成した体調情報とを関連付けて前記インシデント情報記憶部に登録する登録部とを備えることが望ましい。
【０００７】
また、本発明において、前記作業前情報入力部は、作業者を特定する作業者識別情報の入力を受け付け、前記登録部は、前記作業識別情報、インシデント情報及び体調情報に加えて前記作業前情報入力部が入力を受け付けた作業者識別情報を前記インシデント情報記憶部に登録し、前記インシデント情報読出部は、前記作業前情報入力部が入力を受け付けた作業識別情報に関連付けられたインシデント情報のうち、さらに前記作業前情報入力部が入力を受け付けた作業者識別情報に関連付けられたインシデント情報を読み出すことが望ましい。
【０００８】
また、本発明は、前記作業者識別情報と当該作業者識別情報が示す作業者の属性情報を関連付けて記憶する属性情報記憶部から、前記作業前情報入力部が入力を受け付けた作業者識別情報に関連付けられた属性情報と同じ属性情報を有する作業者識別情報を読み出す同属性読出部を備え、前記インシデント情報読出部は、前記作業前情報入力部が入力を受け付けた作業識別情報に関連付けられたインシデント情報のうち、さらに前記同属性読出部が読み出した作業者識別情報に関連付けられたインシデント情報を読み出すことが望ましい。
【０００９】
また、本発明において、前記表示部は、前記インシデント情報読出部が読み出したインシデント情報のうち、前記作業前情報入力部が入力を受け付けた作業者識別情報に関連付けられたインシデント情報と、他の作業者識別情報に関連付けられたインシデント情報とを異ならせて表示することが望ましい。
【００１０】
また、本発明において、前記インシデント情報記憶部は、前記作業識別情報、インシデント情報及び体調情報に関連付けて、当該作業識別情報が示す作業の作業手順を示す手順図、及び前記インシデント情報が示すインシデントが発生した時刻または場所を示す表示位置情報をさらに記憶し、前記作業後情報入力部は、前記インシデント情報に加え、当該インシデント情報の表示位置情報の入力を受け付け、前記登録部は、前記作業識別情報、インシデント情報及び体調情報に加えて前記作業後情報入力部が入力を受け付けた表示位置情報を前記インシデント情報記憶部に登録し、前記インシデント情報読出部は、前記インシデント情報に加え、前記手順図及び前記表示位置情報を読み出し、前記表示部は、前記インシデント情報読出部が読み出したインシデント情報を、前記表示位置情報に対応する前記手順図の位置に表示することが望ましい。
【００１１】
また、本発明は、インシデント情報表示装置を用いたインシデント情報表示方法であって、作業前情報入力部は、作業者から作業を識別する作業識別情報の入力を受け付け、計測部は、前記作業前情報入力部への入力時間を計測し、体調推定部は、前記計測部が計測した入力時間に基づいて作業者の体調を推定して当該体調を示す体調情報を生成し、インシデント情報読出部は、前記作業識別情報と当該作業において発生したインシデントを示すインシデント情報と当該インシデント情報を表示すべき作業者の体調を示す体調情報とを関連付けて記憶するインシデント情報記憶部から、前記作業前情報入力部が入力を受け付けた作業識別情報に関連付けられたインシデント情報のうち前記体調推定部が生成した体調情報に関連付けられたインシデント情報を読み出し、表示部は、前記インシデント情報読出部が読み出したインシデント情報を表示することを特徴とする。
【００１２】
また、本発明は、インシデント情報表示装置を、作業者から作業を識別する作業識別情報の入力を受け付ける作業前情報入力部、前記作業前情報入力部への入力時間を計測する計測部、前記計測部が計測した入力時間に基づいて作業者の体調を推定し、当該体調を示す体調情報を生成する体調推定部、前記作業識別情報と当該作業において発生したインシデントを示すインシデント情報と当該インシデント情報を表示すべき作業者の体調を示す体調情報とを関連付けて記憶するインシデント情報記憶部から、前記作業前情報入力部が入力を受け付けた作業識別情報に関連付けられたインシデント情報のうち前記体調推定部が生成した体調情報に関連付けられたインシデント情報を読み出すインシデント情報読出部、前記インシデント情報読出部が読み出したインシデント情報を表示する表示部として機能させるためのプログラムである。
【発明の効果】
【００１３】
本発明によれば、インシデント情報表示装置は、体調推定部が作業者の体調を推定し、表示部が作業者の体調にあわせて表示すべきインシデント情報を表示する。これにより、作業者は、自身に関連の有るインシデント情報を得ることができ、インシデント情報を他人事と認識することを防ぐことができる。
【図面の簡単な説明】
【００１４】
【図１】本発明の一実施形態によるインシデント情報表示装置の構成を示す概略ブロック図である。
【図２】インシデント情報表示装置の動作を示す第１のフローチャートである。
【図３】表示部によるインシデント情報表示画面の画面例である。
【図４】インシデント情報表示装置の動作を示す第２のフローチャートである。
【発明を実施するための形態】
【００１５】
以下、図面を参照しながら本発明の実施形態について詳しく説明する。本実施形態では、インシデント情報表示装置が鉄道の運行におけるインシデントを表示する場合を説明する。
図１は、本発明の一実施形態によるインシデント情報表示装置の構成を示す概略ブロック図である。
インシデント情報表示装置１は、データベース部１０１、作業前情報入力部１０２、計測部１０３、体調推定部１０４、同属性読出部１０５、インシデント情報読出部１０６、表示部１０７、作業後情報入力部１０８、登録部１０９を備える。
【００１６】
データベース部１０１は、行路番号（作業識別情報）と行路図（手順図）とを関連付けて格納する行路テーブルを記憶する。ここで、行路番号とは、乗務員（作業者：運転士、車掌など）が列車を運転する行路を識別する番号である。また、行路図とは、行路番号が示す行路の概略図である。
また、データベース部１０１は、個人番号（作業者識別情報）と年齢（属性情報）と経験年数（属性情報）とを関連付けて格納する作業者テーブル（属性情報記憶部）とを記憶する。ここで、個人番号とは、乗務員を識別する番号である。
また、データベース部１０１は、個人番号と行路番号とインシデント情報と表示位置情報と体調情報と日付とを関連付けて格納するインシデントテーブル（インシデント情報記憶部）を記憶する。ここで、インシデント情報とは、行路の運行において発生したインシデント（ヒヤリ・ハット）を示す情報である。また、表示位置情報とは、インシデントが発生した場所を示す情報であり、行路テーブルが格納する行路図の座標を示す。また、体調情報とは、乗務員の体調を示す数値情報であり、体調が良い場合には高い数値で表され、体調が悪い場合には低い数値で表される。例えば体調情報は５段階で表され、乗務員が通常より好調である場合は「５」、通常の健康状態である場合は「４」、疲労している場合は「３」、寝不足の場合は「２」、不調の場合は「１」を示す。
【００１７】
作業前情報入力部１０２は、乗務前に乗務員から、自身の個人番号及び運転予定の行路を示す行路番号の入力を受け付ける。
計測部１０３は、作業前情報入力部１０２への情報の入力に要した時間を計測する。
体調推定部１０４は、計測部１０３が計測した時間に基づいて乗務員の体調を推定し、当該体調を示す体調情報を生成する。
同属性読出部１０５は、作業前情報入力部１０２が入力を受け付けた個人番号に基づいて、当該個人情報が示す乗務員と少なくとも一部の属性情報が同じである乗務員の個人番号を読み出す。
【００１８】
インシデント情報読出部１０６は、作業前情報入力部１０２が入力を受け付けた個人番号及び行路番号、体調推定部１０４が生成した体調情報、並びに同属性読出部１０５が読み出した個人番号に基づいて、データベース部１０１からインシデント情報、表示位置情報、及び行路図を読み出す。また、インシデント情報読出部１０６は、ネットワークを介して雨量・風速・天気予報などの天候情報、及び列車の遅延情報を受信する。
表示部１０７は、インシデント情報読出部１０６が読み出したインシデント情報を表示する。
【００１９】
作業後情報入力部１０８は、乗務後に乗務員から、行路において発生したインシデントを示すインシデント情報、及び当該インシデント情報の発生場所を示す表示位置情報の入力を受け付ける。
登録部１０９は、作業前情報入力部１０２が入力を受け付けた個人番号及び行路番号、体調推定部１０４が生成した体調情報、並びに作業後情報入力部１０８が入力を受け付けたインシデント情報及び表示位置情報を関連付けてデータベース部１０１に登録する。
【００２０】
このような構成を備えるインシデント情報表示装置１において、作業前情報入力部１０２は、乗務員から行路を識別する行路番号の入力を受け付ける。また、計測部１０３は、作業前情報入力部１０２への入力時間を計測し、体調推定部１０４は、計測部１０３が計測した入力時間に基づいて作業者の体調を推定して当該体調を示す体調情報を生成する。
次に、インシデント情報読出部１０６は、データベース部１０１から、作業前情報入力部１０２が入力を受け付けた行路番号に関連付けられたインシデント情報のうち、体調推定部１０４が生成した体調情報に関連付けられたインシデント情報を読み出す。なお、データベース部１０１は、行路番号と行路の運行において発生したインシデントを示すインシデント情報と当該インシデント情報を表示すべき作業者の体調を示す体調情報とを関連付けて記憶する。
そして、表示部１０７は、インシデント情報読出部１０６が読み出したインシデント情報を表示する。
これにより、インシデント情報表示装置１は、インシデント情報を意識させることができる。
【００２１】
次に、インシデント情報表示装置１の動作を説明する。
図２は、インシデント情報表示装置の動作を示す第１のフローチャートである。
まず、乗務員の乗務前におけるインシデント情報表示装置１の動作を説明する。
乗務前の点呼時、乗務員は、インシデント情報表示装置１を起動させ、自身の個人番号とこれから運行を開始する行路の行路番号を入力する。インシデント情報表示装置１の作業前情報入力部１０２は、乗務員から個人番号と行路番号の入力を受け付ける（ステップＳ１０１）。次に、計測部１０３は、乗務員による作業前情報入力部１０２への入力時間を計測する（ステップＳ１０２）。具体的には、乗務員が入力開始ボタン（図示せず）を押下してから、情報の入力完了後に入力終了ボタン（図示せず）を押下するまでの時間を入力時間として計測する。
【００２２】
次に、体調推定部１０４は、計測部１０３が計測した入力時間に基づいて乗務員の体調を推定し、体調情報を生成する（ステップＳ１０３）。具体的には、体調推定部１０４は、内部メモリに同一の乗務員による過去の入力時間を蓄積しており、当該蓄積された入力時間の平均値と今回の入力時間とを比較することで、体調の推定を行う。例えば、今回の入力時間が蓄積された入力時間の平均値の７０％未満の長さである場合、体調推定部１０４は、乗務員の体調が好調であると推定する。逆に、今回の入力時間が蓄積された入力時間の平均値の２倍以上の長さである場合、体調推定部１０４は、乗務員が不調であると推定する。
【００２３】
次に、同属性読出部１０５は、データベース部１０１の属性テーブルから作業前情報入力部１０２が入力を受け付けた個人番号に関連付けられた属性情報（年齢及び経験年数）を読み出す（ステップＳ１０４）。次に、同属性読出部１０５は、読み出した属性情報と同じ属性情報を有する個人番号をデータベース部１０１の属性テーブルから読み出す（ステップＳ１０５）。具体的には、同属性読出部１０５は、読み出した年齢の値と同じ値を示す年齢に関連付けられた個人番号と、読み出した経験年数の値と同じ値を示す経験年数に関連付けられた個人番号とをデータベース部１０１の属性テーブルから読み出す。
【００２４】
次に、インシデント情報読出部１０６は、ステップＳ１０１で作業前情報入力部１０２が入力を受け付けた行路番号に関連付けられた行路図を、データベース部１０１の行路テーブルから読み出す（ステップＳ１０６）。次に、インシデント情報読出部１０６は、ステップＳ１０１で作業前情報入力部１０２が入力を受け付けた行路番号に基づいて、行路沿線の天候情報及び遅延情報を外部装置から読み出す（ステップＳ１０７）。
次に、インシデント情報読出部１０６は、ステップＳ１０１で作業前情報入力部１０２が入力を受け付けた個人番号及び行路番号に基づいて、データベース部１０１のインシデントテーブルからインシデント情報及び表示位置情報を読み出す（ステップＳ１０８）。これにより、インシデント情報読出部１０６は、乗務員が過去に入力したインシデント情報を読み出すことができる。
【００２５】
次に、インシデント情報読出部１０６は、ステップＳ１０１で作業前情報入力部１０２が入力を受け付けた行路番号と、ステップＳ１０３で体調推定部１０４が生成した体調情報に基づいて、データベース部１０１のインシデントテーブルからインシデント情報及び表示位置情報を読み出す（ステップＳ１０９）。具体的には、体調推定部１０４が入力を受け付けた行路番号に関連付けられたインシデント情報のうち、体調推定部１０４が生成した体調情報の値以上の値を示す体調情報に関連付けられたインシデント情報を読み出す。つまり、体調推定部１０４が生成した体調情報が「３」を示す場合、インシデント情報読出部１０６は、「３」、「４」、「５」を示す体調情報に関連付けられたインシデント情報を読み出す。これにより、インシデント情報読出部１０６は、乗務員の体調に合わせたインシデント情報を読み出すことができる。なお、生成した体調情報の値と同じ値を示す体調情報に関連付けられたインシデント情報に限らず、生成した体調情報の値を超える値を示す体調情報に関連付けられたインシデント情報も読み出す理由は、体調が良いときに発生するインシデントは、体調が悪いときにも発生する可能性が高いと考えられるためである。
【００２６】
次に、インシデント情報読出部１０６は、ステップＳ１０１で作業前情報入力部１０２が入力を受け付けた行路番号と、ステップＳ１０５で同属性読出部１０５が読み出した個人番号に基づいて、データベース部１０１のインシデントテーブルからインシデント情報及び表示位置情報を読み出す（ステップＳ１１０）。これにより、インシデント情報読出部１０６は、乗務員と属性が同一の他の乗務員のインシデント情報を読み出すことができる。
【００２７】
次に、表示部１０７は、インシデント情報読出部１０６がステップＳ１０６で読み出した行路図、ステップＳ１０３で体調推定部１０４が生成した体調情報に合わせた警告、並びにステップＳ１０７で読み出した天候情報及び遅延情報を表示する（ステップＳ１１１）。次に、表示部１０７は、インシデント情報読出部１０６がステップＳ１０８〜Ｓ１１０で読み出したインシデント情報を、それぞれに関連付けられた表示位置情報が示す行路図上の位置に配置して表示する（ステップＳ１１２）。このとき、表示部１０７は、インシデント情報読出部１０６がステップＳ１０８で読み出したインシデント情報と、インシデント情報読出部１０６がステップＳ１０８、Ｓ１０９で読み出したインシデント情報とを異ならせて表示する。「異ならせて表示する」とは、例えば、異なる記号を用いて表示したり、異なる色で表示したり、異なるサイズで表示したりすることが挙げられる。
【００２８】
図３は、表示部によるインシデント情報表示画面の画面例である。
表示部１０７は、図３に示すように、行路図、警告、天候情報及び遅延情報、並びにインシデント情報を表示する。
なお、表示部１０７は、インシデント情報を星印で表示し、当該星印をクリックしたときに、インシデント情報の詳細をポップアップで表示する。また、インシデント情報は、データベース部１０１への登録が新しい順に表示され、データ量が多い場合はポップアップにスクロールバーを表示し、当該スクロールバーのドラッグにより全文を表示させる。
【００２９】
上述した処理を行うことで、インシデント情報表示装置１は、個々人の年齢や経験年数、乗務当日の体調や天候に応じた過去の事例や対策を表示することで、乗務員に対して情報の自己関連性を高めることによって、乗務員による情報の処理水準を深めることができる。
乗務員は、表示部１０７が表示するインシデント情報表示画面を閲覧すると、インシデント情報表示装置１を終了させ、乗務を行う。
なお、インシデント情報表示装置１は、乗務前の処理の終了時に、内部メモリに作業前情報入力部１０２がステップＳ１０１で入力を受け付けた個人番号及び行路番号、並びに体調推定部１０４がステップＳ１０３で生成した体調情報を関連付けて記録しておく（ステップＳ１１３）。
【００３０】
図４は、インシデント情報表示装置の動作を示す第２のフローチャートである。
次に、乗務員の乗務後におけるインシデント情報表示装置１の動作を説明する。
乗務員は、乗務を終了すると、インシデント情報表示装置１を起動させ、自身の個人番号とこれから運行を開始する行路の行路番号を入力する。インシデント情報表示装置１の作業後情報入力部１０８は、乗務員から行路番号の入力を受け付ける（ステップＳ２０１）。また、作業後情報入力部１０８は、現在の日付を内蔵時計から取得する（ステップＳ２０２）。同一の行路は、１日に２度運行されないため、作業後情報入力部１０８は、行路番号の入力と日付の取得により、行路を一意に特定することができる。
【００３１】
次に、作業後情報入力部１０８は、入力を受け付けた行路番号に基づいて、インシデント情報表示装置１の内部メモリからステップＳ１１３で記録した個人番号及び体調情報を読み出す（ステップＳ２０３）。
次に、インシデント情報読出部１０６は、作業後情報入力部１０８が読み出した行路番号に関連付けられた行路図を、データベース部１０１の行路テーブルから読み出す（ステップＳ２０４）。次に、インシデント情報読出部１０６は、作業後情報入力部１０８が入力を受け付けた行路番号に基づいて、行路沿線の天候情報及び遅延情報を外部装置から読み出す（ステップＳ２０５）。
次に、インシデント情報読出部１０６は、作業後情報入力部１０８が入力を受け付けた行路番号に関連付けられたインシデント情報及び表示位置情報を、データベース部１０１のインシデントテーブルから読み出す（ステップＳ２０６）。
【００３２】
次に、表示部１０７は、インシデント情報読出部１０６が読み出した行路図並びに天候情報及び遅延情報を表示する（ステップＳ２０７）。次に、表示部１０７は、インシデント情報読出部１０６が読み出したインシデント情報を、それぞれに関連付けられた表示位置情報が示す行路図上の位置に配置して表示する（ステップＳ２０８）。また、表示部１０７は、画面にインシデント情報登録ボタン（図示せず）と登録終了ボタン（図示せず）とを表示する。
【００３３】
ここで、乗務員は、入力すべきインシデント情報があると判断した場合は、画面に表示されたインシデント情報登録ボタンを押下する。他方、入力すべきインシデント情報がないと判断した場合は、画面に表示された登録終了ボタンを押下する。
乗務員が何れかのボタンを押下すると、作業後情報入力部１０８は、ボタンの押下を検出し、インシデント情報登録ボタンか登録終了ボタンかの何れのボタンが押下されたかを判定する（ステップＳ２０９）。
【００３４】
作業後情報入力部１０８は、インシデント情報登録ボタンが押下されたと判定した場合（ステップＳ２０９：ＹＥＳ）、表示部１０７が表示する行路図のうち、インシデントが発生した場所である表示位置情報の入力を受け付ける（ステップＳ２１０）。具体的には、乗務員が画面に表示されたカーソルを操作し、インシデントが発生した場所に相当する行路図の座標をクリックすることで表示位置情報の入力を行う。次に、作業後情報入力部１０８は、文章によるインシデント情報の入力を受け付ける（ステップＳ２１１）。
【００３５】
次に、登録部１０９は、作業後情報入力部１０８がステップＳ２０１で入力を受け付けた行路番号と、作業後情報入力部１０８がステップＳ２０２で取得した日付と、作業後情報入力部１０８がステップＳ２０３で読み出した個人番号及び体調情報と、作業後情報入力部１０８がステップＳ２１０で入力を受け付けた表示位置情報と、作業後情報入力部１０８がステップＳ２１１で入力を受け付けたインシデント情報とを関連付けて、データベース部１０１のインシデントテーブルに登録する（ステップＳ２１２）。
登録部１０９がインシデントテーブルへの登録を完了すると、ステップＳ２０９に戻り、乗務員によるボタンの押下を待機する。
【００３６】
他方、作業後情報入力部１０８が、登録終了ボタンが押下されたと判定した場合（ステップＳ２０９：ＮＯ）、表示部１０７は、ステップＳ２１０〜Ｓ２１２で登録されたインシデント情報を、それぞれに関連付けられた表示位置情報が示す行路図上の位置に配置して表示する（ステップＳ２１３）。
上述したように、乗務員が乗務後に気づいたことをインシデント情報表示装置１に登録し、その情報を乗務前に入力した情報と関連付けることにより、入力と同時に情報の整理を行い、データベース部１０１の情報を最新に保つことができる。
【００３７】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、本実施形態では、手順図として行路図を用いる場合を説明したが、これに限られず、例えば、行路図の代わりにタイムチャートを用いても良い。行路図を用いる本実施形態では、インシデント情報と場所とを関連付けることができたが、タイムチャートを用いることで、インシデント情報と時刻とを関連付けることができる。
【００３８】
また、本実施形態では、属性テーブルが格納する属性情報が年齢と経験年数である場合を説明したが、これに限られず、例えば、属性テーブルが属性情報として教育実績や勤務条件、性別など他の情報を格納していても良い。
また、本実施形態では、全ての処理部をインシデント情報表示装置１内に備える場合を説明したが、これに限られず、例えば、データベース部１０１を外部装置に備え、通信により情報の取得・登録を行うようにしても良い。また、作業前情報入力部１０２、表示部１０７、作業後情報入力部１０８をクライアント装置に備え、他の処理部をサーバ装置に備えるようなクライアント・サーバ構成としても良い。
【００３９】
また、本実施形態では、インシデント情報表示装置１が鉄道の乗務員にインシデント情報を提示する場合を説明したが、これに限られず、鉄道以外の産業分野において当該インシデント情報表示装置１を用いても良い。例えば、製造業の現場に当該インシデント情報表示装置１を設置し、工場の作業員に対してインシデント情報の提示を行っても良い。
【００４０】
上述のインシデント情報表示装置１は内部に、コンピュータシステムを有している。そして、上述した各処理部の動作は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００４１】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００４２】
１…インシデント情報表示装置  １０１…データベース部  １０２…作業前情報入力部  １０３…計測部  １０４…体調推定部  １０５…同属性読出部  １０６…インシデント情報読出部  １０７…表示部  １０８…作業後情報入力部  １０９…登録部
【図１】
2011197759.tif 000003
【図２】
2011197759.tif 000004
【図３】
2011197759.tif 000005
【図４】
2011197759.tif 000006